(57)【特許請求の範囲】
【請求項１】
中空スラブの中空管の一部を軸方向に沿って切除して切除部分を形成する工程と、
前記中空管の中空部に発泡充填材を充填する工程と、
前記切除部分を覆うように補完コンクリート部を打設する工程とを備え、
前記発泡充填材を充填する工程において、前記発泡充填材の充填部を前記中空管の軸方向に延びる前記切除部分で該発泡充填材の充填時に該切除部分に対応配置した細長矩形状の型枠板により平面的に発泡を抑えて平面的に形成し、且つ前記発泡充填材を前記切除部分に対応する前記中空部の全体に亘って隙間なく充填する
ことを特徴とする中空スラブの補修工法。
【請求項２】
前記中空スラブのコンクリート部を斫って前記中空管の一部を軸方向に沿って切除して前記切除部分を形成する工程と、
前記切除部分に細長矩形状の前記型枠板を配置し、前記中空スラブの鉄筋に取り付けられる取付具を用いて前記型枠板を固定すると共に、前記鉄筋のスラブ筋と前記型枠板との間に前記型枠板の位置を規制して発泡時の浮き上がりを防止するスペーサーを設置する工程と、
前記中空管の中空部に前記切除部分から発泡充填材の原液を注入し、前記発泡充填材の原液を前記型枠板で抑えるようにして発泡させ、前記中空部に前記発泡充填材を充填する工程と、
前記型枠板を撤去する工程と、
前記コンクリート部を斫った領域に前記補完コンクリート部を打設する工程と、
を備えることを特徴とする請求項１記載の中空スラブの補修工法。
【請求項３】
前記中空スラブのコンクリート部を斫って前記中空管の一部を軸方向に沿って切除して前記切除部分を形成する工程と、
前記切除部分に細長矩形状の前記型枠板を配置し、コンクリート部に取り付けられる取付具により前記型枠板を固定すると共に、前記取付具の取付プレートを該コンクリート部に固定された前記取付具のアンカーボルトにより前記型枠板の発泡時の浮き上がりを押さえることが可能に前記型枠板に略密接する工程と、
前記中空管の中空部に前記切除部分から発泡充填材の原液を注入し、前記発泡充填材の原液を前記型枠板で抑えるようにして発泡させ、前記中空部に前記発泡充填材を充填する工程と、
前記型枠板を撤去する工程と、
鉄筋を組み上げて配置する工程と、
前記コンクリート部を斫った領域に前記補完コンクリート部を打設する工程と、
を備えることを特徴とする請求項１記載の中空スラブの補修工法。
【請求項４】
前記型枠板が可撓性材料で形成されていることを特徴とする請求項１〜３の何れかに記載の中空スラブの補修工法。
【請求項５】
前記型枠板を透明板とすることを特徴とする請求項１〜４の何れかに記載の中空スラブの補修工法。
【発明の詳細な説明】
【技術分野】
【０００１】
本発明は、例えば中空スラブ橋などコンクリート構造物の中空スラブの補修に用いられる中空スラブの補修工法に関する。
【背景技術】
【０００２】
従来、コンクリート橋として、橋の軽量化やコンクリートの使用量の低減等を図るために中空スラブが用いられている中空スラブ橋が知られている。この中空スラブ橋は、中空管と鉄筋とが配置され、その中空管と鉄筋の周囲にコンクリートが打設されて形成されるものであり、中空管内には中空部が設けられる。
【０００３】
しかし、この中空スラブ橋を長期に亘って使用すると、コンクリート表面に亀裂が生じ、さらにこの亀裂から中空管内に水が入って中空部に水が溜まって周囲に漏出し、漏出した水で鉄筋に錆が生じると、一層コンクリートの亀裂が増え、橋の強度が低下したり、コンクリートが陥没、剥落する危険性を生ずる。この危険性を無くす手段としては、中空管の中空部に発泡ポリウレタン等の発泡充填材を充填して、中空部の軽量性を確保しながら中空管や鉄筋の腐食を防止し、その発泡充填材を型枠として痛んだコンクリート部分を打ち替えする補修工法が考えられる（特許文献１参照）。
【先行技術文献】
【特許文献】
【０００４】
【特許文献１】特開２００５−２２０６２９号公報
【発明の概要】
【発明が解決しようとする課題】
【０００５】
ところで、中空管の中空部の全体や広範囲の領域に亘り、発泡充填材を隙間が生じないように充填して中空スラブ橋を補修する場合、中空管の上側のコンクリートを除去して中空管の一部を軸方向に沿って切除し、切除した部分から発泡充填材の原液を注入することが好ましい。しかしながら、中空管の一部を軸方向に沿って切除すると、発泡充填材の原液の発泡時に、切除部分から中空部の外側に発泡充填材がはみ出して発泡してしまうという問題がある。この外側にはみ出した発泡充填材は、発泡充填材の充填後にコンクリートを再度打設する際に、コンクリートを適正な厚さ分打設する障害となり、ひいては補修後の中空スラブ橋の強度と耐久性を低下する要因となるため、発泡充填材の外側へのはみ出しを防止することが求められる。
【０００６】
本発明は上記課題に鑑み提案するものであって、中空管の軸方向に延びる切除部分から発泡充填材の原液を注入して中空部に発泡充填材を充填して補修する際に、発泡充填材の外側へのはみ出しを防止し、補修後の中空スラブの強度と耐久性を確実に確保することができる中空スラブの補修工法を提供することを目的とする。
【課題を解決するための手段】
【０００７】
本発明の中空スラブの補修工法は、中空スラブの中空管の一部を軸方向に沿って切除して切除部分を形成する工程と、前記中空管の中空部に発泡充填材を充填する工程と、前記切除部分を覆うように補完コンクリート部を打設する工程とを備え、前記発泡充填材を充填する工程において、前記発泡充填材の充填部を前記中空管の軸方向に延びる前記切除部分で該発泡充填材の充填時に該切除部分に対応配置した細長矩形状の型枠板により平面的に発泡を抑えて平面的に形成し、且つ前記発泡充填材を前記切除部分に対応する前記中空部の全体に亘って隙間なく充填することを特徴とする。
この構成によれば、中空管の軸方向に延びる切除部分から発泡充填材の原液を注入し、中空部の全体や広範囲の領域に亘って隙間が生じないように発泡充填材を充填することができ、中空部に水が溜まって中空管や鉄筋が腐食することを防止することができる。また、中空管の軸方向に延びる切除部分から中空部に発泡充填材の原液を注入して発泡させる際に、平面的に発泡を抑えて発泡充填材の中空部の外側へのはみ出しを防止し、はみ出した発泡充填材が鉄筋の周囲にコンクリートを打設する障害となることを防止し、鉄筋の周囲に所要のコンクリート被りを確実に形成することができる。従って、補修後の中空スラブの強度と耐久性を確実に確保することができる。
【０００８】
本発明の中空スラブの補修工法は、前記中空スラブのコンクリート部を斫って前記中空管の一部を軸方向に沿って切除して前記切除部分を形成する工程と、前記切除部分に細長矩形状の前記型枠板を配置し、前記中空スラブの鉄筋に取り付けられる取付具を用いて前記型枠板を固定すると共に、前記鉄筋のスラブ筋と前記型枠板との間に前記型枠板の位置を規制して発泡時の浮き上がりを防止するスペーサーを設置する工程と、前記中空管の中空部に前記切除部分から発泡充填材の原液を注入し、前記発泡充填材の原液を前記型枠板で抑えるようにして発泡させ、前記中空部に前記発泡充填材を充填する工程と、前記型枠板を撤去する工程と、前記コンクリート部を斫った領域に前記補完コンクリート部を打設する工程とを備えることを特徴とする。この取付具は、型枠板の切除部分に対する遠近方向の位置を調整可能な構成とすると好適である。また、スペーサーは小片として複数個を所要位置に適宜配置する構成とすると好ましい。
この構成によれば、中空管の軸方向に延びる切除部分から発泡充填材の原液を注入し、中空部の全体や広範囲の領域に亘って隙間が生じないように発泡充填材を充填することができ、中空部に水が溜まって中空管や鉄筋が腐食することを防止することができる。また、中空管の軸方向に延びる切除部分から中空部に発泡充填材の原液を注入して発泡させる際に、型枠板の浮き上がりを防止し、型枠板で発泡を抑えて発泡充填材の中空部の外側へのはみ出しを防止し、はみ出した発泡充填材が鉄筋の周囲にコンクリートを打設する障害となることを防止することができ、鉄筋の周囲に所要のコンクリート被りを確実に形成することができる。従って、補修後の中空スラブの強度と耐久性を確実に確保することができる。また、中空スラブの鉄筋を利用し、型枠板を所要の配置で簡単に且つ安定した状態で固定することができる。
【０００９】
本発明の中空スラブの補修工法は、前記中空スラブのコンクリート部を斫って前記中空管の一部を軸方向に沿って切除して前記切除部分を形成する工程と、前記切除部分に細長矩形状の前記型枠板を配置し、コンクリート部に取り付けられる取付具により前記型枠板を固定すると共に、前記取付具の取付プレートを該コンクリート部に固定された前記取付具のアンカーボルトにより前記型枠板の発泡時の浮き上がりを押さえることが可能に前記型枠板に略密接する工程と、前記中空管の中空部に前記切除部分から発泡充填材の原液を注入し、前記発泡充填材の原液を前記型枠板で抑えるようにして発泡させ、前記中空部に前記発泡充填材を充填する工程と、前記型枠板を撤去する工程と、鉄筋を組み上げて配置する工程と、前記コンクリート部を斫った領域に前記補完コンクリート部を打設する工程とを備えることを特徴とする。この取付具は、型枠板の切除部分に対する遠近方向の位置を調整可能な構成とすると好適である。
この構成によれば、中空管の軸方向に延びる切除部分から発泡充填材の原液を注入し、中空部の全体や広範囲の領域に亘って隙間が生じないように発泡充填材を充填することができ、中空部に溜まった水で中空管や鉄筋が腐食することを防止することができる。また、中空管の軸方向に延びる切除部分から中空部に発泡充填材の原液を注入して発泡させる際に、取付プレートで型枠板の浮き上がりを押さえ、型枠板で発泡を抑えて発泡充填材の中空部の外側へのはみ出しを防止し、はみ出した発泡充填材が鉄筋の周囲にコンクリートを打設する障害となることを防止することができ、鉄筋の周囲に所要のコンクリート被りを確実に形成することができる。従って、補修後の中空スラブの強度と耐久性を確実に確保することができる。また、中空スラブの鉄筋が錆び付いていたり、残っていない場合にも、中空スラブのコンクリート部を利用して、型枠板を所要の配置で簡単に且つ安定した状態で固定することができると共に、新たな鉄筋で補強して補修することができる。
【００１０】
本発明の中空スラブの補修工法は、前記型枠板が可撓性材料で形成されていることを特徴とする。
この構成によれば、型枠板をコンクリート部に配筋されているスラブ筋の間から差し込んで切除部分に配置する作業の容易化を図ることができる。
【００１１】
本発明の中空スラブの補修工法は、前記型枠板を透明板とすることを特徴とする。
この構成によれば、発泡充填剤の原液の中空部への注入状況を外から確認することができ、より確実に中空部に発泡充填材を隙間が生じないようにして充填することができる。
【発明の効果】
【００１２】
本発明によれば、中空管の軸方向に延びる切除部分から発泡充填材の原液を注入して中空部に発泡充填材を充填して補修する際に、発泡充填材の外側へのはみ出しを防止し、補修後の中空スラブの強度と耐久性を確実に確保することができる。
【図面の簡単な説明】
【００１３】
【図１】（ａ）は第１、第２実施形態の中空スラブの補修工法が適用される一例である中空スラブ橋の正面図、（ｂ）はその平面図。
【図２】（ａ）は図１の中空スラブ橋の中空管近傍の部分断面図、（ｂ）は第１実施形態の中空スラブの補修工法において同図（ａ）のアスファルト舗装をめくった状態を示す部分断面図。
【図３】（ａ）は図２（ｂ）のコンクリート部の上側と中空管の一部を除去した状態を示す部分断面図、（ｂ）は同図（ａ）の中空管の一部を除去した部分に型枠板を配置した状態を示す部分断面図。
【図４】（ａ）は図３（ｂ）の型枠板を取付具で取り付けた状態を示す部分断面図、（ｂ）は同図（ａ）の状態における中空スラブ橋の部分平面図。
【図５】（ａ）は図４（ａ）の型枠板の上側にスペーサーを配置した状態を示す部分断面図、（ｂ）は同図（ａ）の状態における中空スラブ橋の部分平面図。
【図６】（ａ）は図５（ａ）の中空部に発泡充填材を充填した状態を示す部分断面図、（ｂ）は同図（ａ）のスペーサーと取付具と型枠板を撤去した状態を示す部分断面図。
【図７】補完コンクリート部とアスファルト舗装を施した第１実施形態の中空スラブの補修工法による構造を示す部分断面図。
【図８】（ａ）は第２実施形態の中空スラブの補修工法において型枠板を取付具で取り付けた状態を示す部分断面図、（ｂ）はその中空部に発泡充填材を充填した状態を示す部分断面図。
【図９】補完コンクリート部とアスファルト舗装を施した第２実施形態の中空スラブの補修工法による構造を示す部分断面図。
【発明を実施するための形態】
【００１４】
〔第１実施形態の中空スラブの補修工法〕
次に、本発明による第１実施形態の中空スラブの補修工法及びその補修工法で形成される補修構造について説明する。
【００１５】
第１実施形態の中空スラブの補修工法及びその補修工法による補修構造は、例えば図１及び図２（ａ）の中空スラブ橋１に適用され、中空スラブ橋１は、橋脚２と、橋脚２で支えられる床版３とを備える。床版３は、コンクリート部４を有し、コンクリート部４に鉄筋である主筋５１、スラブ筋５２、帯筋５３と鋼製或いは紙製等の中空管６が埋設され、中空管６内に中空部７が設けられている。更に、コンクリート部４の上面にはアスファルト舗装８が設けられている。
【００１６】
この中空スラブ橋１に第１実施形態の中空スラブの補修工法を適用する際には、図２（ｂ）及び図３（ａ）に示すように、アスファルト舗装８をめくった後、コンクリート部４を斫る工程を行う。コンクリート部４の斫りは高圧水によるものとすると好ましい。このコンクリート部４の斫り工程においては、高圧水等により中空管６の一部である上部を軸方向に沿って切除して切除部分６１を形成すると共に、主筋５１、スラブ筋５２、帯筋５３の一部を露出させる。
【００１７】
その後、図３（ｂ）及び図４に示すように、中空管６の軸方向と直交して延びるスラブ筋５２・５２の間等から挿入して、細長矩形状の型枠板９を切除部分６１に対応配置し、中空管６の軸方向と平行に延びる主筋５１に載置するようにして設けられる取付具１０により、型枠板９を切除部分６１に対応する位置で吊り下げるように取り付け、型枠板９の中空部７内への落下を防止する。型枠板９は、例えばアクリル板或いはポリカーボネート板等の透明板とすると、後述する発泡充填材１５の原液の注入状況を外から確認することができ、中空部７に発泡充填材１５を隙間が生じないようにしてより確実に充填することができて好適である。また、型枠板９はコンクリート部４に配筋されていたスラブ筋５２、５２の間から差し込んで切除部分６１に配置させる作業が必要となる為、ある程度撓めることができる素材であることが望ましい。型枠板９は、その長辺方向が切除部分６１の軸方向になるようにして、切除部分６１の対応する位置に必要に応じて単数或いは複数配置する。
【００１８】
取付具１０は、細長矩形状で、長辺方向に所定間隔を開けて略楕円形の取付孔１１１が形成されている取付プレート１１と、取付孔１１１に挿通されている全ネジボルト１２と、取付プレート１１の上側で全ネジボルト１２に螺合されているナット１３とから構成される。そして、取付プレート１１を主筋５１に架橋するように載置し、全ネジボルト１２の下端部を型枠板９の上部のねじ穴９１にねじ込み、取付プレート１１に載置されるナット１３の螺合位置を調整することにより、型枠板９を切除部分６１に対応配置して取り付ける。
【００１９】
尚、取付具１０は、切除部分６１の近傍位置で、主筋５１やスラブ筋５２等の鉄筋のコンクリート被りを確保可能な位置に、型枠板９を配置して取り付けられる構成であれば適宜であるが、主筋５１等の鉄筋の多様な位置に適応可能とするため、型枠板９の切除部分６１に対する遠近方向の位置を調整可能に取り付けられる構成とすると好ましい。
【００２０】
更に、図５に示すように、スラブ筋５２と型枠板９との間に  型枠板９の浮き上がり防止用のスペーサー１４を設置する。本実施形態におけるスペーサー１４は、例えば木製で略直方体形に形成された小片であり、複数のスペーサー１４を所要位置に適宜配置する。このスペーサー１４の設置により、取付プレート１１で吊り下げて取り付けられている型枠板９が切除部分６１に対応する所定位置で位置規制されて固定され、後述する発泡充填材１５の発泡時における型枠板９の浮き上がりや湾曲が防止される。
【００２１】
その後、図６（ａ）に示すように、型枠板９相互の隙間６２、型枠板９と中空管６の軸方向端部に位置するコンクリート部４との間の隙間等に位置する切除部分６１から、中空管６の中空部７に発泡充填材１５の原液を注入し、発泡充填材１５の原液を型枠板９で抑えるようにして中空部７で発泡させ、中空部７に発泡充填材１５を充填する。この発泡時には、発泡充填材１５の発泡が型枠板９で抑えられて発泡充填材１５の中空部７の外側へのはみ出しが抑制され、切除部分６１の開口の形状に倣うように平面的な仕上がりで発泡充填材１５が充填される。この発泡充填材１５には、発泡して中空部７内に充填できる軽量な適宜のものを用いることが可能であり、例えば軽量で安価な発泡ウレタン等を用いると好適である。
【００２２】
その後、図６（ｂ）に示すように、スペーサー１４を撤去し、更に、全ネジボルト１２を型枠板９から外し、取付具１０である取付プレート１１と全ネジボルト１２とナット１３を撤去すると共に、スラブ筋５２・５２の間等から抜き出して型枠板９を撤去する。そして、図７に示すように、コンクリート部４を斫った領域に補完コンクリート部１６を打設し、その上にアスファルト舗装１７を設けることにより、中空スラブ橋１の補修が完了する。
【００２３】
図７の中空スラブ橋１の補修構造は、中空管６の一部が軸方向に沿って切除され、中空管６の中空部７に切除部分６１で平面的に抑えられるようにして発泡充填材１５が充填され、切除部分６１を覆うように補完コンクリート部１６が打設された構成となる。
【００２４】
第１実施形態の中空スラブの補修工法によれば、中空管６の軸方向に延びる切除部分６１から発泡充填材１５の原液を注入し、中空部７の全体や広範囲の領域に亘って隙間が生じないように発泡充填材１５を充填することができ、中空部７の軽量性を確保しながらそこに水が溜まって中空管６や鉄筋が腐食することを防止できる。また、型枠板９で発泡を抑えて発泡充填材１５の中空部７の外側へのはみ出しを防止し、はみ出した発泡充填材１５が鉄筋の周囲に補完コンクリート部１６を打設する障害となることを防止することができる。このため、中空部７に充填された発泡充填材１５をスラブコンクリート打ち替え型枠として、鉄筋の周囲に所要のコンクリート被りを確実に形成することができる。従って、補修後の中空スラブ橋１の強度と耐久性を確実に確保することができる。また、中空スラブ橋１の鉄筋を利用し、型枠板９を所要の配置で簡単に且つ安定した状態で固定することができる。更に、取付具１０とスペーサー１４で型枠板９を所要配置で固定する構成により、取付具１０、スペーサー１４、型枠板９の撤去が非常に容易となる。更に、スペーサー１４を小片とすることにより、スラブ筋５２・５２の間から型枠板９とスラブ筋５２との間に容易に設置することができる。
【００２５】
〔第２実施形態の中空スラブの補修工法〕
次に、本発明による第２実施形態の中空スラブの補修工法及びその補修工法で形成される補修構造について説明する。
【００２６】
第２実施形態の中空スラブの補修工法及びその補修工法による補修構造も、第１実施形態と同様の中空スラブ橋１に適用される（図１、図２（ａ）参照）。そして、第１実施形態と同様に、アスファルト舗装８をめくり、高圧水等によってコンクリート部４を斫り、中空管６の一部である上部を軸方向に沿って切除して切除部分６１を形成すると共に、主筋５１、スラブ筋５２、帯筋５３の一部を露出させる（図２（ｂ）及び図３（ａ）参照）。
【００２７】
次いで、錆びついた主筋５１とスラブ筋５２を一部撤去し、図８（ａ）に示すように、第１実施形態と同様に切除部分６１に透明板等の細長矩形状の型枠板９を配置し、コンクリート部４に取り付けられる取付具２０により、型枠板９を切除部分６１に対応する位置に固定して取り付け、型枠板９の中空部７内への落下を防止する。
【００２８】
取付具２０は、細長のアングルプレートで、少なくとも下面に配置される一方の面に、長辺方向に所定間隔を開けて略楕円形の取付孔２１１が形成されている取付プレート２１と、取付孔２１１に挿通されているボルト２２と、取付プレート２１の長手方向の両端近傍で取付孔２１１にボルト部２３１が挿通され、拡径したスリーブ部２３２がコンクリート部４に食い込むようにして打ち込まれると共に、取付プレート２１の一方の面の上側でボルト部２３１に第１ナット部２３３が螺合され、その下側でボルト部２３１に第２ナット部２３４が螺合されるアンカーボルト２３とから構成される。
【００２９】
この取付具２０のコンクリート部４への固定では、コンクリート部４の所定位置に下穴を穿孔し、清掃した下穴にアンカーボルト２３を配置し、スリーブ部２３２をコンクリート部４に打ち込んで拡径してアンカーボルト２３をコンクリート部４に固定すると共に、アンカーボルト２３のボルト部２３１が取付孔２１１に挿通されるようにして取付プレート２１を配置し、第１ナット部２３３、第２ナット部２３４で取付プレート１１を挟み込むようにする。そして、ボルト２２の下端部を、型枠板９の上部のねじ穴９１にねじ込み、取付プレート２１の一方の面の下側に略密接するようにして型枠板９を固定し、第１ナット部２３３、第２ナット部２３４の螺合位置を調整することにより、型枠板９を切除部分６１に対応配置して固定する。
【００３０】
尚、コンクリート部４に固定する取付具２０の場合も、切除部分６１の近傍位置で、主筋５１やスラブ筋５２等の鉄筋のコンクリート被りを確保可能な位置に、型枠板９を配置して取り付けられる構成であれば適宜であるが、型枠板９の切除部分６１に対する遠近方向の位置を調整可能に取り付けられる構成とすると好ましい。
【００３１】
その後、図８（ｂ）に示すように、型枠板９相互の隙間６２、型枠板９と中空管６の軸方向端部に位置するコンクリート部４との間の隙間等に位置する切除部分６１から、中空管６の中空部７に発泡充填材１５の原液を注入し、発泡充填材１５の原液を型枠板９で抑えるようにして中空部７で発泡させ、中空部７に発泡充填材１５を充填する。この発泡時には、取付プレート２１で押さえられることにより型枠板９の浮き上がりが防止されて、発泡充填材１５の発泡が型枠板９で抑えられ、発泡充填材１５の中空部７の外側へのはみ出しが抑制され、切除部分６１の開口の形状に倣うように平面的な仕上がりで発泡充填材１５が充填される。発泡充填材１５には、第１実施形態と同様に例えば発泡ウレタン等を適宜用いる。
【００３２】
その後、第１ナット部２３３を外して取付プレート２１を取り外すことにより、型枠板９を撤去し、アンカーボルト２３に螺合されている第２ナット部２３４も取り外す。そして、図９に示すように、撤去した主筋５１、スラブ筋５２に代えて新しい鉄筋である主筋５１、スラブ筋５２を組み上げて配置し、更に、コンクリート部４を斫った領域に補完コンクリート部１６を打設し、その上にアスファルト舗装１７を設けることにより、中空スラブ橋１の補修が完了する。完成した第２実施形態における中空スラブ橋１では、アンカーボルト２３のボルト部２３１とスリーブ部２３２は、コンクリート部４と補完コンクリート部１６に埋設された状態となる。
【００３３】
図９の中空スラブ橋１の補修構造も、中空管６の一部が軸方向に沿って切除され、中空管６の中空部７に切除部分６１で平面的に抑えられるようにして発泡充填材１５が充填され、切除部分６１を覆うように補完コンクリート部１６が打設された構成となる。
【００３４】
第２実施形態の中空スラブの補修工法は、第１実施形態と対応する構成により同様の効果を奏する。また、中空スラブの鉄筋が錆び付いていたり、残っていない場合にも、中空スラブのコンクリート部４を利用して、型枠板９を所要の配置で簡単に且つ安定した状態で固定することができると共に、新たな鉄筋で補強して補修することができる。
【００３５】
〔実施形態の変形例等〕
本明細書開示の発明は、各発明や各実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記変形例も包含する。
【００３６】
例えば上記第１、第２実施形態では、中空スラブの例である中空スラブ橋１を補修する場合について説明したが、本発明の中空スラブの補修工法及びその補修工法で形成される補修構造は、中空スラブを有する鉄筋コンクリートビルなど適宜の中空スラブに適用することが可能である。また、本発明における取付具やその取付方式、型枠板９の固定の仕方は、上記例の取付具１０、２０、型枠板９に限定されず、本発明の趣旨の範囲内で適宜であり、例えば取付具１０の取付プレート１１を主筋５１にワイヤー等で固定し、スペーサー１４が無くても型枠板９を所定位置に固定可能な構成とすることも可能である。また、第２実施形態における型枠板９と取付プレート２１との間や、或いはこれと型枠板９とスラブ筋５２との間に、浮き上がり防止用スペーサー１４を設けることも可能である。
【産業上の利用可能性】
【００３７】
本発明は、例えば中空スラブ橋などコンクリート構造物の中空スラブの補修に利用することができる。
【符号の説明】
【００３８】
１…中空スラブ橋  ２…橋脚  ３…床版  ４…コンクリート部  ５１…主筋  ５２…スラブ筋  ５３…帯筋  ６…中空管  ６１…切除部分  ６２…隙間  ７…中空部  ８…アスファルト舗装  ９…型枠板  ９１…ねじ穴  １０、２０…取付具  １１、２１…取付プレート  １１１、２１１…取付孔  １２…全ネジボルト  １３…ナット  １４…スペーサー  １５…発泡充填材  １６…補完コンクリート部  １７…アスファルト舗装  ２２…ボルト  ２３…アンカーボルト  ２３１…ボルト部  ２３２…スリーブ部  ２３３…第１ナット部  ２３４…第２ナット部
【図１】
0005822379.tif 000002
【図２】
0005822379.tif 000003
【図３】
0005822379.tif 000004
【図４】
0005822379.tif 000005
【図５】
0005822379.tif 000006
【図６】
0005822379.tif 000007
【図７】
0005822379.tif 000008
【図８】
0005822379.tif 000009
【図９】
0005822379.tif 000010